(57)【要約】【課題】減圧手段からの振動の伝わりを抑制する。【解決手段】減圧貯蔵室２０と、減圧貯蔵室２０内を減圧する減圧手段３０と、減圧手段３０を収納する収納ケース２３と、収納ケース２３を支持するカバー２６と、収納ケース２３の外周を支持するカバー２６の支持部材２６ｂ，２６ｃ，２６ｄ，２６ｅと、収納ケース２３の外周のシール材２７と、を備え、収納ケース２３はシール材２７を介してカバー２６の支持部材２６ｂ，２６ｃ，２６ｄ，２６ｅで支持される。【選択図】図４
2015048947.tif 000002
【特許請求の範囲】
【請求項１】
減圧貯蔵室と、該減圧貯蔵室内を減圧する減圧手段と、該減圧手段を収納する収納ケースと、該収納ケースを支持するカバーと、
前記収納ケースの外周を支持する前記カバーの支持部材と、前記収納ケースの外周のシール材と、を備え、前記収納ケースは前記シール材を介して前記カバーの前記支持部材で支持されることを特徴とする冷蔵庫。
【請求項２】
前記支持部材は前記シール材を少なくとも４方向から押圧するように構成し、前記支持部材の一部は前記シール材に弾性力を作用させた状態で支持することを特徴とする、請求項１記載の冷蔵庫。
【請求項３】
前記シール材は、前記収納ケースの底部に位置する本体部と、該本体部と一体に形成されて前記収納ケースの側部に位置する張り出し部と、を含むことを特徴とする、請求項１記載の冷蔵庫。
【請求項４】
前記シール材は、前記収納ケースの底部に位置する矩形状の本体部と、該本体部と別体で前記収納ケースの側部に位置する矩形状の張り出し部と、を含むことを特徴とする、請求項１記載の冷蔵庫。
【請求項５】
前記カバーは補強リブを一体に有することを特徴とする、請求項１乃至４のいずれかに記載の冷蔵庫。
【発明の詳細な説明】
【技術分野】
【０００１】
本発明は、冷蔵庫に関する。
【背景技術】
【０００２】
本技術分野の背景技術として、特開２０１２−２２９８７３号公報（特許文献１）がある。
【０００３】
特許文献１は、内部を大気圧よりも減圧して貯蔵食品の酸化による劣化を抑制することができる減圧貯蔵室を備えた冷蔵庫において、減圧貯蔵室内を減圧するための減圧ポンプのモータ部分を減圧ポンプケース内に対して緩衝体で吊り下げて静音化を図った冷蔵庫が開示されている。
【先行技術文献】
【特許文献】
【０００４】
【特許文献１】特開２０１２−２２９８７３号公報
【発明の概要】
【発明が解決しようとする課題】
【０００５】
特許文献１のように減圧ポンプケースの内部で緩衝体を介してモータ部分を吊り下げる構造にすると、減圧ポンプ自体の静音化を図ることができる。しかし、減圧ポンプケースは電気配線を取り纏めるカバー表面の係止爪で支持する構成となっている。そのため、モータの回転振動が係止爪を介して冷蔵庫の筐体に伝播する場合がある。この回転振動の伝播によって、減圧ポンプの回転振動が冷蔵庫の筐体で増幅される場合がある。
【０００６】
そこで本発明は、減圧手段からの振動の伝わりを抑制する冷蔵庫を提供する。
【課題を解決するための手段】
【０００７】
上記課題を解決するために本発明は、減圧貯蔵室と、該減圧貯蔵室内を減圧する減圧手段と、該減圧手段を収納する収納ケースと、該収納ケースを支持するカバーと、前記収納ケースの外周を支持する前記カバーの支持部材と、前記収納ケースの外周のシール材と、を備え、前記収納ケースは前記シール材を介して前記カバーの前記支持部材で支持されることを特徴とする。
【発明の効果】
【０００８】
本発明によれば、減圧手段からの振動の伝わりを抑制する冷蔵庫を提供できる。
【０００９】
上記した以外の課題、構成及び効果は以下の実施形態の説明により明らかにされる。
【図面の簡単な説明】
【００１０】
【図１】本発明の実施例に係る冷蔵庫の正面図である。
【図２】図１のＡ−Ａ断面図である。
【図３】本発明の実施例に係る減圧貯蔵室の概略構成を示す斜視図である。
【図４】本発明の実施例に係る減圧手段の収納ケースとカバーの斜視図である。
【図５】本発明の実施例に係る減圧手段の収納ケースとカバーを組み合わせた状態の側面図である。
【図６】本発明の実施例２に係るシール材の形状を表す展開図である。
【図７】本発明の実施例３に係るシール材の形状を表す展開図である。
【発明を実施するための形態】
【００１１】
以下、本発明の一実施形態を図１〜図４に基づいて説明する。
【実施例１】
【００１２】
図１は、本発明の実施例に係る冷蔵庫の正面図である。図２は、図１のＡ−Ａ断面図である。
【００１３】
図１において、冷蔵庫本体１は貯蔵室として上から冷蔵室２、製氷室３、この製氷室３と横並びの上段冷凍室４、下段冷凍室５、野菜室６の順に配置されている。そして、これらの各貯蔵室は前面の開口を閉塞するための扉２ａ、３ａ、４ａ、５ａ、６ａがそれぞれ取り付けられている。冷蔵室２の前面開口を開閉する２枚の扉２ａは、ヒンジ２ｂで回動可能に一端がそれぞれ保持されたフレンチドアを構成している。その他の扉３ａ、４ａ、５ａ、６ａは、前後方向に移動して各貯蔵室の開口を開閉する引出し式扉となっている。
【００１４】
図２において、冷蔵庫本体１の内部奥側には冷却器室７が形成され、この冷却器室７内には冷却器８が収納されている。野菜室６の奥側と対向し、断熱壁９を隔てた位置には機械室１０が設けられ、この機械室１０内には圧縮機１１が設置されている。この圧縮機１１と冷却器８とは図示していないが、凝縮器とキャピラリチューブが冷媒配管で順に連結されることによって冷凍サイクルを構成している。
【００１５】
冷却器８の上部には冷気循環ファン１２が取り付けられている。この冷気循環ファン１２は冷却器８で冷却された冷気を冷蔵室２、製氷室３、上部冷凍室４、下部冷凍室５、野菜室６に強制循環して各貯蔵室内を冷却するためのものである。冷気循環ファン１２の下流側にはダンパ（図示せず）が取り付けられている。このダンパは冷気循環ファン１２によって吹き出された冷気を各貯蔵室に分配するためのものである。このダンパの動作は、使用者が操作して設定変更可能な操作基板（図示せず）からの設定温度情報の出力を入力として制御される。
【００１６】
冷蔵室２の前面は、冷蔵室扉２ａで閉塞されている。製氷室３の前面は製氷室扉３ａ（図１に示す）で閉塞されている。上部冷凍室４の前面は上部冷凍室扉４ａで閉塞されている。下部冷凍室５の前面は第１の冷凍室扉５ａで閉塞されている。野菜室６の前面は野菜室扉６ａで閉塞されている。なお、いずれの扉も開閉可能な状態で開口を閉塞している。また、図１で説明したレイアウトに限らず、扉や貯蔵室の数や配置を適宜変更した冷蔵庫であってもよい。
【００１７】
冷蔵室２の上壁２ｃ内には、真空断熱材１３が配置されている。冷蔵室２と上段冷凍室４（及び製氷室３）とを区画する区画壁４ｂ内には、真空断熱材１４が配置されている。下部冷凍室５と野菜室６とを区画する区画壁６ｂには、真空断熱材１５が配置されている。野菜室６と機械室１０との間にある断熱壁９内には、真空断熱材１６が配置されている。各貯蔵室２，３，４，５，６の背面にある背面壁１７内には、真空断熱材１８が収納されている。各壁は、真空断熱材１３，１４，１５，１６，１８と共に、発泡ポリウレタンフォーム１９が冷蔵庫本体１の内壁と外壁との間に充填されて構成されている。
【００１８】
冷蔵室２の下方には、後述する減圧貯蔵室２０が配置されている。この減圧貯蔵室２０は、減圧ポンプ（図示せず）によって内部が減圧状態（真空状態）に維持されている。
【００１９】
図３は、本発明の実施例に係る減圧貯蔵室の概略構成を示す斜視図である。
【００２０】
減圧貯蔵室２０は、図２に示したように冷蔵室２内の下部に設置されている。この減圧貯蔵室２０の前方開口は蓋２０ａで開閉自在に閉塞されている。この蓋２０ａにはトレイ（図示せず）が取り付けられ、蓋２０ａを引出すことによりトレイとともに引き出せる引き出し式となっている。
【００２１】
また、蓋２０ａにはハンドル２０ｂが取り付けられており、このハンドル２０ｂの左右方向の中央寄りには手掛け部２０ｃが設けられている。この手掛け部２０ｃを上方向に引き上げると、蓋２０ａのバルブ（図示せず）が開放されて、減圧貯蔵室２０内の真空が開放されることで、蓋２０ａをトレイごと手前方向に引き出せるようになっている。
【００２２】
減圧貯蔵室２０内は配管２２を介して減圧手段３０（減圧ポンプ）が接続されている。この減圧ポンプ３０は、収納ケース２３内に収納されている。配管２２は、可撓性を有するゴム系のチューブから成っている。収納ケース２３は、カバー２６（図５参照）に固定される。収納ケース２３の固定位置は、本実施例では減圧貯蔵室２０の側面或いは背面であるが、これらの位置に限定されるものではない。
【００２３】
次に、図４は、本発明の実施例に係る減圧手段の収納ケースとカバーの斜視図である。図５は、本発明の実施例に係る減圧手段の収納ケースとカバーを組み合わせた状態の側面図である。
【００２４】
図４において、減圧手段３０は、収納ケース２３内部にポンプ駆動部（図示せず）が収納されており、ポンプ駆動部からの配管２２と電源供給用の配線２４が延出している。この収納ケース２３は、上ケース２３ａと下ケース２３ｂとに二分割されており、ポンプ駆動部を収納後、上ケース２３ａと下ケース２３ｂはネジ２５等の締結手段で固定される。
【００２５】
収納ケース２３の下ケース２３ｂには、シール材２７が底部全体を覆うように貼り付けられている。このシール材２７は、ゴム系の樹脂材にて構成されている。カバー２６には支持部材２６ｂ，２６ｃ，２６ｄ，２６ｅが一体に取り付けられている。本実施例の支持部材２６ｂ，２６ｃ，２６ｄ，２６ｅは、シール材２７を少なくとも４方向から押圧するように構成している。ここで、４方向とは、直方体形状である収納ケース２３の側壁（前側面、後側面、左側面、右側面の４面）を構成する４面である。
【００２６】
図５において、カバー２６の支持部材２６ｃ，２６ｅの距離（左右方向の距離）は、下ケース２３ｂに貼り付けられたシール材２７の距離より小さくなっている。また、支持部材２６ｂ，２６ｄの距離（前後方向の距離）も、シール材２７の距離より小さい。したがって、支持部材２６ｂ，２６ｃ，２６ｄ，２６ｅによって囲まれた空間内に収納ケース２３を挿入すると圧入状態となる。換言すると、支持部材の一部はシール材２７に弾性力を作用させた状態で支持している。
【００２７】
また、支持部材２６ｅは、クランク状に上方に向かって形成されている。これは、収納ケース２３を支持部材２６ｂ，２６ｃ，２６ｄ，２６ｅで囲まれた空間に挿入する際、シール材２７の一端で支持部材２６ｅを押し広げながら挿入することによって、簡単に挿入できるようにするためである。つまり、図４に示した矢印のように支持部材２６ｅはシール材２７で押されて点線のように弾性変形移動し、収納ケース２３の挿入間口が広がるため、収納ケース２３を挿入し易くなるようにしたものである。
【００２８】
次に、本実施例で採用したゴム系のシール材２７について説明する。
【００２９】
シール材２７にとって最も重要なことは振動の吸収である。振動吸収は材料の密度が高いほど効果的であることから、ゴム系が適している。また、収納ケース２３は冷蔵室２内に設置されるため、耐水性と耐低温性を要する。これらを総合すると、シール材２７としてゴム系が優れていることが分かった。特に、シール材２７を含む減圧手段３０は、減圧貯蔵室２０の背面或いは側面と冷蔵室２の壁面との間の極めて狭隘な場所に設置される。そのため、ゴム系の材料でシール材２７を構成することで、防振性、耐水性、耐低温性に優れる。比較例として、ウレタン系のシール材とした場合、ゴム系のシール材に比べて密度が低く、防振性能が低い。また、耐水性や耐低温性が悪い。そのため、本実施例ではゴム系のシール材を採用している。
【００３０】
さらに、カバー２６に設けた支持部材２６ｂ，２６ｃ，２６ｄ，２６ｅでシール材２７を介して減圧手段３０を固定するため、減圧手段３０の稼動によって生じる回転振動の冷蔵庫本体１への伝播を抑制できる。
【実施例２】
【００３１】
次に、実施例２について、図６を参照して説明する。図６は、本発明の実施例２に係るシール材の形状を表す展開図である。
【００３２】
図６において、シール材２７は、収納ケース２３の底部に位置する本体部２７ａと、側壁に位置する張り出し部２７ｂとを一体に形成したものである。張り出し部２７ｂは、四角形状の本体部２７ａの各辺から外方に延在するように構成されており、各張り出し部２７ｂは凹部２７ｃによって隔てられている。このシール材２７は、シート状の材料を金型による押圧によって順次型取りして形成される。
【００３３】
本実施例によれば、同じ形状のシール材２７を連続的に量産できる。そのため寸法誤差の発生が低減され、製造コストの低減を図りながら安価に製造できる。
【実施例３】
【００３４】
次に、実施例３について、図７を参照して説明する。図７は、本発明の実施例３に係るシール材の形状を表す展開図である。
【００３５】
図７において、シール材２７は本体部２７ａと張り出し部２７ｄをそれぞれ矩形形状の単独部材で構成したものである。
【００３６】
本実施例では、３枚の矩形形状のシール材２７ａ，２７ｄ，２７ｄをそれぞれ収納ケース２３の底部と側壁に貼り付けることになるため、作業工数は実施例２に比べて若干増える。しかし、実施例２のような凹部２７ｃを形成しないので、材料の端材の発生を抑えて歩留まりをよくすることができる。
【００３７】
本発明は以上説明したように構成されたものであるから、以下の効果を得ることができる。
【００３８】
すなわち、減圧貯蔵室と、該減圧貯蔵室内を減圧する減圧手段と、該減圧手段を収納する収納ケースと、該収納ケースを支持するカバーと、前記収納ケースの外周を支持する前記カバーの支持部材と、前記収納ケースの外周のシール材と、を備え、前記収納ケースは前記シール材を介して前記カバーの前記支持部材で支持される。これにより、減圧手段の稼動によって生じる振動を冷蔵庫筐体に伝播することを抑えることができる。
【００３９】
また、前記支持部材は前記シール材を少なくとも４方向から押圧するように構成し、前記支持部材の一部は前記シール材に弾性力を作用させた状態で支持する。これにより、収納ケースの取り付けが容易となる。
【００４０】
また、前記シール材は、前記収納ケースの底部に位置する本体部と、該本体部と一体に形成されて前記収納ケースの側部に位置する張り出し部と、を含む。これにより、シール材の形成が容易であり、組立性を向上できる。
【００４１】
また、前記シール材は、前記収納ケースの底部に位置する矩形状の本体部と、該本体部と別体で前記収納ケースの側部に位置する矩形状の張り出し部と、を含む。これにより、カバーと収納ケースが接する部分にシール材を配置することができるので、防振性を有した状態でシール材の面積を抑制でき、製造コストを低減できる。
【００４２】
また、前記カバーは補強リブを一体に有する。これにより、収納ケースが取り付けられるカバーを補強することができるため、減圧手段からの振動の伝わりをさらに低減することができる。
【００４３】
また、防振性の高いゴム系シール材で収納ケースを支持し、さらにカバーに設けられた支持部材でシール材を押圧して支持するため、減圧手段の振動が冷蔵庫本体に伝播することを低減できる。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能である。また、各実施例の構成の一部について、他の構成の追加・削除・置換をすることが可能である。
【符号の説明】
【００４５】
１…冷蔵庫本体、２…冷蔵室、２０…減圧貯蔵室、２３…収納ケース、２３ａ…上ケース、２３ｂ…下ケース、２４…配線、２５…ネジ、２６…カバー、２６ｂ，２６ｃ，２６ｄ，２６ｅ…支持部材、２７…シール材、２７ａ…本体部、２７ｂ…張り出し部、２７ｃ…凹部、２７ｄ…張り出し部、３０…減圧手段（減圧ポンプ）
【図１】
2015048947.tif 000003
【図２】
2015048947.tif 000004
【図３】
2015048947.tif 000005
【図４】
2015048947.tif 000006
【図５】
2015048947.tif 000007
【図６】
2015048947.tif 000008
【図７】
2015048947.tif 000009